(57)【要約】【課題】梱包用緩衝材の高さ寸法を大きくしなくても、落下の衝撃による梱包用緩衝材の潰れ等の変形を小さくして、落下による冷蔵庫本体の底部の底当たりを防止すると共に、冷蔵庫本体の底部においても、落下の衝撃の反力を分散して、冷蔵庫本体の底部の割れ等の変形を防止する冷蔵庫底部の梱包用緩衝材を提供する。【解決手段】梱包用緩衝材１は、第１の部材１１と第２の部材と第３の部材１３とを有する。冷蔵庫本体２０は、左右の機械室側壁２１，２１と断熱箱体２２とを有する。機械室側壁２１の底面２１０は、第１の部材１１および第２の部材に支持され、断熱箱体２２の底面２２０は、第３の部材１３の支持面１３０に支持される。また、断熱箱体２２の底面２２０の傾斜面２２０ｂは、第３の部材１３の支持面１３０の傾斜面１３０ｂに支持される。【選択図】図５
2011255927.tif 000002
【特許請求の範囲】
【請求項１】
冷蔵庫本体の底部を支持しつつ梱包する梱包用緩衝材であって、
Ｘ方向に延在する第１の部材と、
上記Ｘ方向に延在し、上記第１の部材に対して間隔をあけて平行に配列されている第２の部材と、
上記第１の部材と上記第２の部材とに交差するＹ方向に延在し、一端が上記第１の部材に取り付けられると共に他端が上記第２の部材に取り付けられている第３の部材と
を備え、
上記第３の部材は、上記Ｘ方向および上記Ｙ方向に直交するＺ方向側に、上記冷蔵庫本体の上記底部を支持する支持面を有し、
上記支持面は、平坦面と、この平坦面の上記Ｘ方向に位置すると共に上記Ｘ方向の反対方向を向くように上記平坦面に対して傾斜する傾斜面とを有することを特徴とする冷蔵庫底部の梱包用緩衝材。
【請求項２】
請求項１に記載の冷蔵庫底部の梱包用緩衝材において、
上記第１の部材における上記Ｘ方向に位置する端部は、上記Ｚ方向の反対側に、緩衝用切り欠き部を有し、
上記第２の部材における上記Ｘ方向に位置する端部は、上記Ｚ方向の反対側に、緩衝用切り欠き部を有することを特徴とする冷蔵庫底部の梱包用緩衝材。
【請求項３】
請求項１または２に記載の冷蔵庫底部の梱包用緩衝材において、
上記第１の部材は、Ｚ方向の反対方向に位置する底面と、上記第２の部材に対向する内側面と、この内側面と反対側に位置する外側面とを有し、
上記第１の部材の底面および外側面を覆うように、Ｌ型アングル状部材が設けられ、
上記第２の部材は、Ｚ方向の反対方向に位置する底面と、上記第１の部材に対向する内側面と、この内側面と反対側に位置する外側面とを有し、
上記第２の部材の底面および外側面を覆うように、Ｌ型アングル状部材が設けられていることを特徴とする冷蔵庫底部の梱包用緩衝材。
【請求項４】
請求項１から３の何れか一つに記載の冷蔵庫底部の梱包用緩衝材において、
上記第１の部材、上記第２の部材および上記第３の部材は、一体に成形された一体構造であることを特徴とする冷蔵庫底部の梱包用緩衝材。
【請求項５】
請求項１から４の何れか一つに記載の冷蔵庫底部の梱包用緩衝材において、
上記第１の部材、上記第２の部材および上記第３の部材は、発泡スチロールと発泡ポリエチレンとの重合体を含むことを特徴とする冷蔵庫底部の梱包用緩衝材。
【請求項６】
冷蔵庫本体の底部と、
この底部を支持する請求項１から５の何れか一つに記載の梱包用緩衝材と
を備え、
上記冷蔵庫本体は、圧縮機を収容する機械室を構成する左右の機械室側壁と、上記機械室の前方に位置すると共に上記機械室側壁の強度よりも大きな強度を有する断熱箱体とを有し、
上記冷蔵庫本体の上記底部は、上記左右の機械室側壁の底面と、上記断熱箱体の底面とを含み、
上記断熱箱体の上記底面は、平坦面と、この平坦面の後方に位置すると共に後方を向くように上記平坦面に対して傾斜する傾斜面とを有し、
上記左右の機械室側壁の上記底面は、上記梱包用緩衝材の上記第１の部材および上記第２の部材に支持され、
上記断熱箱体の上記底面の上記平坦面は、上記梱包用緩衝材の上記第３の部材の上記支持面の上記平坦面に支持され、
上記断熱箱体の上記底面の上記傾斜面は、上記梱包用緩衝材の上記第３の部材の上記支持面の上記傾斜面に支持されることを特徴とする冷蔵庫底部の梱包構造体。
【発明の詳細な説明】
【技術分野】
【０００１】
この発明は、冷蔵庫本体の底部を支持しつつ梱包する冷蔵庫底部の梱包用緩衝材、および、冷蔵庫底部の梱包構造体に関する。
【背景技術】
【０００２】
従来、冷蔵庫本体の底部を支持する梱包用緩衝材としては、図６に示すように、一方向に延在する第１の部材１０１と、上記一方向に延在し第１の部材１０１に対して間隔をあけて平行に配列されている第２の部材１０２と、第１の部材１０１と第２の部材１０２とを支持する支持枠１０３とを備えたものがある（実開昭６２−５８３８７号公報：特許文献１参照）。
【０００３】
しかしながら、上記従来の梱包用緩衝材では、扉を除く冷蔵庫本体の底部を、第１の部材１０１および第２の部材１０２のみによって、支持していたので、冷蔵庫本体の底部を梱包用緩衝材にて梱包した状態で冷蔵庫が落下したとき、この落下の衝撃（特に梱包用緩衝材の真下方向への衝撃：稜落下）が、第１の部材１０１および第２の部材１０２に集中し、この結果、梱包用緩衝材の潰れ等の変形が大きくなる問題があった。
【０００４】
このため、梱包用緩衝材の第１の部材１０１および第２の部材１０２の高さ寸法を大きくしなければ、落下による冷蔵庫本体の底部の底当たりを防止できなかった。また、冷蔵庫本体の底部においても、落下の衝撃の反力が、冷蔵庫本体の底部の一部（冷蔵庫本体の左右側壁の底部）に集中して、冷蔵庫本体の底部に、割れ等の変形が生じる問題があった。
【先行技術文献】
【特許文献】
【０００５】
【特許文献１】実開昭６２−５８３８７号公報
【発明の概要】
【発明が解決しようとする課題】
【０００６】
そこで、この発明の課題は、梱包用緩衝材の高さ寸法を大きくしなくても、落下の衝撃による梱包用緩衝材の潰れ等の変形を小さくして、落下による冷蔵庫本体の底部の底当たりを防止すると共に、冷蔵庫本体の底部においても、落下の衝撃の反力を分散して、冷蔵庫本体の底部の割れ等の変形を防止する冷蔵庫底部の梱包用緩衝材、および、冷蔵庫底部の梱包構造体を提供することにある。
【課題を解決するための手段】
【０００７】
上記課題を解決するため、この発明の冷蔵庫底部の梱包用緩衝材は、
冷蔵庫本体の底部を支持しつつ梱包する梱包用緩衝材であって、
Ｘ方向に延在する第１の部材と、
上記Ｘ方向に延在し、上記第１の部材に対して間隔をあけて平行に配列されている第２の部材と、
上記第１の部材と上記第２の部材とに交差するＹ方向に延在し、一端が上記第１の部材に取り付けられると共に他端が上記第２の部材に取り付けられている第３の部材と
を備え、
上記第３の部材は、上記Ｘ方向および上記Ｙ方向に直交するＺ方向側に、上記冷蔵庫本体の上記底部を支持する支持面を有し、
上記支持面は、平坦面と、この平坦面の上記Ｘ方向に位置すると共に上記Ｘ方向の反対方向を向くように上記平坦面に対して傾斜する傾斜面とを有することを特徴としている。
【０００８】
この発明の冷蔵庫底部の梱包用緩衝材によれば、上記第１の部材、上記第２の部材および上記第３の部材を有するので、上記冷蔵庫本体の底部を、上記第１、上記第２および上記第３の部材によって、支持できる。このため、冷蔵庫本体の底部を梱包用緩衝材にて梱包した状態で冷蔵庫が落下したとき、この落下の衝撃（特に梱包用緩衝材の真下方向への衝撃：稜落下）を上記第１、上記第２および上記第３の部材にて分散できる。
【０００９】
また、上記第３の部材の上記支持面は、上記傾斜面を有するので、落下の衝撃による垂直方向（Ｚ方向の反対方向）の力を、上記傾斜面により分散できる。また、上記傾斜面により、冷蔵庫のＸ方向の位置ずれを防止できる。
【００１０】
したがって、梱包用緩衝材の第１、第２および第３の部材の高さ寸法を大きくしなくても、落下の衝撃による梱包用緩衝材の潰れ等の変形を小さくして、落下による冷蔵庫本体の底部の底当たりを防止できる。また、冷蔵庫本体の底部においても、落下の衝撃の反力を分散できて、冷蔵庫本体の底部の割れ等の変形を防止できる。
【００１１】
また、一実施形態の冷蔵庫底部の梱包用緩衝材では、
上記第１の部材における上記Ｘ方向に位置する端部は、上記Ｚ方向の反対側に、緩衝用切り欠き部を有し、
上記第２の部材における上記Ｘ方向に位置する端部は、上記Ｚ方向の反対側に、緩衝用切り欠き部を有する。
【００１２】
この実施形態の冷蔵庫底部の梱包用緩衝材によれば、上記第１の部材の上記端部は、上記緩衝用切り欠き部を有し、上記第２の部材の上記端部は、上記緩衝用切り欠き部を有するので、第１の部材の端部および第２の部材の端部は、落下の衝撃に対して、高い緩衝性能を有する。したがって、第１の部材の端部および第２の部材の端部によって支持される冷蔵庫底部の部位の変形を、一層確実に防止できる。
【００１３】
また、一実施形態の冷蔵庫底部の梱包用緩衝材では、
上記第１の部材は、Ｚ方向の反対方向に位置する底面と、上記第２の部材に対向する内側面と、この内側面と反対側に位置する外側面とを有し、
上記第１の部材の底面および外側面を覆うように、Ｌ型アングル状部材が設けられ、
上記第２の部材は、Ｚ方向の反対方向に位置する底面と、上記第１の部材に対向する内側面と、この内側面と反対側に位置する外側面とを有し、
上記第２の部材の底面および外側面を覆うように、Ｌ型アングル状部材が設けられている。
【００１４】
この実施形態の冷蔵庫底部の梱包用緩衝材によれば、上記第１の部材の底面および外側面を覆うように、Ｌ型アングル状部材が設けられ、上記第２の部材の底面および外側面を覆うように、Ｌ型アングル状部材が設けられているので、第１の部材および第２の部材をＬ型アングル状部材にて補強できる。
【００１５】
また、一実施形態の冷蔵庫底部の梱包用緩衝材では、上記第１の部材、上記第２の部材および上記第３の部材は、一体に成形された一体構造である。
【００１６】
この実施形態の冷蔵庫底部の梱包用緩衝材によれば、上記第１の部材、上記第２の部材および上記第３の部材は、一体に成形された一体構造であるので、各部材が相互にずれることがなくて、緩衝効果が低減しない。また、各部材を相互にテープ等によって固定する必要がなく、作業性が良好となる。
【００１７】
また、一実施形態の冷蔵庫底部の梱包用緩衝材では、上記第１の部材、上記第２の部材および上記第３の部材は、発泡スチロールと発泡ポリエチレンとの重合体を含む。
【００１８】
また、この発明の冷蔵庫底部の梱包構造体は、
冷蔵庫本体の底部と、
この底部を支持する請求項１から５の何れか一つに記載の梱包用緩衝材と
を備え、
上記冷蔵庫本体は、圧縮機を収容する機械室を構成する左右の機械室側壁と、上記機械室の前方に位置すると共に上記機械室側壁の強度よりも大きな強度を有する断熱箱体とを有し、
上記冷蔵庫本体の上記底部は、上記左右の機械室側壁の底面と、上記断熱箱体の底面とを含み、
上記断熱箱体の上記底面は、平坦面と、この平坦面の後方に位置すると共に後方を向くように上記平坦面に対して傾斜する傾斜面とを有し、
上記左右の機械室側壁の上記底面は、上記梱包用緩衝材の上記第１の部材および上記第２の部材に支持され、
上記断熱箱体の上記底面の上記平坦面は、上記梱包用緩衝材の上記第３の部材の上記支持面の上記平坦面に支持され、
上記断熱箱体の上記底面の上記傾斜面は、上記梱包用緩衝材の上記第３の部材の上記支持面の上記傾斜面に支持されることを特徴としている。
【００１９】
この発明の冷蔵庫底部の梱包構造体によれば、上記左右の機械室側壁の上記底面は、上記第１の部材および上記第２の部材に支持され、上記断熱箱体の上記底面は、上記第３の部材の上記支持面に支持されるので、上記冷蔵庫本体の底部を、上記第１、上記第２および上記第３の部材によって、支持できる。このため、冷蔵庫本体の底部を梱包用緩衝材にて梱包した状態で冷蔵庫が落下したとき、この落下の衝撃（特に梱包用緩衝材の真下方向への衝撃：稜落下）を上記第１、上記第２および上記第３の部材にて分散できる。
【００２０】
また、上記断熱箱体の上記底面の上記傾斜面は、上記第３の部材の上記支持面の上記傾斜面に支持されるので、落下の衝撃による垂直方向（Ｚ方向の反対方向）の力を、上記第３の部材の上記傾斜面により分散できる。また、上記第３の部材の上記傾斜面により、冷蔵庫のＸ方向の位置ずれを防止できる。
【００２１】
したがって、梱包用緩衝材の第１、第２および第３の部材の高さ寸法を大きくしなくても、落下の衝撃による梱包用緩衝材の潰れ等の変形を小さくして、落下による冷蔵庫本体の底部の底当たりを防止できる。また、冷蔵庫本体の底部においても、落下の衝撃の反力を分散できて、冷蔵庫本体の底部の割れ等の変形を防止できる。
【発明の効果】
【００２２】
この発明の冷蔵庫底部の梱包用緩衝材によれば、上記第１の部材、上記第２の部材および上記第３の部材を有し、上記第３の部材の上記支持面は、上記傾斜面を有するので、梱包用緩衝材の高さ寸法を大きくしなくても、落下の衝撃による梱包用緩衝材の潰れ等の変形を小さくして、落下による冷蔵庫本体の底部の底当たりを防止すると共に、冷蔵庫本体の底部においても、落下の衝撃の反力を分散して、冷蔵庫本体の底部の割れ等の変形を防止する。
【００２３】
この発明の冷蔵庫底部の梱包構造体によれば、上記左右の機械室側壁の上記底面は、上記第１の部材および上記第２の部材に支持され、上記断熱箱体の上記底面は、上記第３の部材の上記支持面に支持され、上記断熱箱体の上記底面の上記傾斜面は、上記第３の部材の上記支持面の上記傾斜面に支持されるので、梱包用緩衝材の高さ寸法を大きくしなくても、落下の衝撃による梱包用緩衝材の潰れ等の変形を小さくして、落下による冷蔵庫本体の底部の底当たりを防止すると共に、冷蔵庫本体の底部においても、落下の衝撃の反力を分散して、冷蔵庫本体の底部の割れ等の変形を防止できる。
【図面の簡単な説明】
【００２４】
【図１】本発明の梱包用緩衝材の使用状態を示す斜視図である。
【図２】梱包用緩衝材の使用状態を示す背面図である。
【図３】梱包用緩衝材の分解状態を示す斜視図である。
【図４】梱包用緩衝材の組立状態を示す斜視図である。
【図５】梱包用緩衝材の使用状態を示す断面図である。
【図６】従来の冷蔵庫底部の梱包用緩衝材を示す斜視図である。
【発明を実施するための形態】
【００２５】
以下、この発明を図示の実施の形態により詳細に説明する。
【００２６】
図１は、この発明の梱包用緩衝材の使用状態を示す斜視図を示している。図２は、梱包用緩衝材の使用状態を示す背面図を示している。図１と図２に示すように、この梱包用緩衝材１は、冷蔵庫２の底部２０ａを支持しつつ梱包して、この冷蔵庫２に対する外部からの衝撃を緩衝する。なお、冷蔵庫２の後方向をＸ方向とし、冷蔵庫２の右方向をＹ方向とし、冷蔵庫２の上方向をＺ方向とする。Ｘ方向、Ｙ方向およびＺ方向は、互いに直交している。
【００２７】
上記冷蔵庫２は、冷蔵庫本体２０と、この冷蔵庫本体２０に開閉可能に取り付けられる扉２５とを有する。上記梱包用緩衝材１は、扉２５の底部でなく、冷蔵庫本体２０の底部２０ａを支持する。
【００２８】
上記冷蔵庫本体２０は、左右の機械室側壁２１，２１と断熱箱体２２とを有する。左右の機械室側壁２１，２１は、圧縮機３を収容する機械室Ｍを構成する。左右の機械室側壁２１，２１には、底板４が架け渡され、この底板４には、圧縮機３が載置されている。断熱箱体２２は、機械室Ｍの前方に位置すると共に機械室側壁２１の強度よりも大きな強度を有する。なお、図２では、機械室Ｍを構成する背面壁を省略して描いている。
【００２９】
ここで、冷蔵庫２の軽量化や、冷蔵庫２の生産時および輸送時のＣＯ２削減を図るため、冷蔵庫２の薄肉化に伴い、断熱箱体２２を硬質発泡ウレタンで構成して断熱箱体２２の強度を保持すると共に、機械室側壁２１をＰＣＳ鋼板とアングルで構成している。このため、機械室側壁２１の強度が小さくなって、輸送運搬時の荷扱い等での落下により、機械室側壁２１に、落下時の衝撃に圧縮機３の質量が加わり過大な力が働くため、機械室側壁２１が変形し易いといった問題がある。
【００３０】
図３の分解斜視図と図４の組立斜視図とに示すように、上記梱包用緩衝材１は、第１の部材１１と第２の部材１２と第３の部材１３とを有する。第１の部材１１は、Ｘ方向に延在する。第２の部材１２は、Ｘ方向に延在し、第１の部材１１に対して間隔をあけて平行に配列されている。第３の部材１３は、第１の部材１１と第２の部材１２とに交差するＹ方向に延在し、第３の部材１３の一端は、第１の部材１１に取り付けられ、第３の部材１３の他端は、第２の部材１２に取り付けられている。
【００３１】
上記第１の部材１１、上記第２の部材１２および上記第３の部材１３は、一体に成形された一体構造である。第１の部材１１、第２の部材１２および第３の部材１３は、発泡スチロールと発泡ポリエチレンとの重合体を含む。
【００３２】
上記第１の部材１１は、支持面１１０と底面１１１と内側面１１２と外側面１１３とを有する。支持面１１０は、Ｚ方向側に位置すると共に冷蔵庫本体２０の底部２０ａを支持する。底面１１１は、Ｚ方向の反対方向に位置する。内側面１１２は、第２の部材１２に対向する。外側面１１３は、内側面１１２と反対側に位置する。
【００３３】
上記第２の部材１２は、支持面１２０と底面１２１と内側面１２２と外側面１２３とを有する。支持面１２０は、Ｚ方向側に位置すると共に冷蔵庫本体２０の底部２０ａを支持する。底面１２１は、Ｚ方向の反対方向に位置する。内側面１２２は、第１の部材１１に対向する。外側面１２３は、内側面１２２と反対側に位置する。
【００３４】
上記第３の部材１３は、支持面１３０を有する。支持面１３０は、Ｚ方向側に位置すると共に冷蔵庫本体２０の底部２０ａを支持する。支持面１３０は、平坦面１３０ａと、この平坦面１３０ａのＸ方向に位置する傾斜面１３０ｂとを有する。平坦面１３０ａは、Ｘ方向およびＹ方向を含む平面に平行となる。傾斜面１３０ｂは、Ｘ方向の反対方向を向くように平坦面１３０ａに対して傾斜している。傾斜面１３０ｂは、平坦面１３０ａとの成す角度が１８０度未満となるように平坦面１３０ａに対して傾斜している。
【００３５】
上記第１の部材１１におけるＸ方向に位置する端部は、Ｚ方向の反対側に、緩衝用切り欠き部１４を有する。この切り欠き部１４は、底面１１１と外側面１１３とに渡って切り欠かれている。
【００３６】
上記第２の部材１２におけるＸ方向に位置する端部は、Ｚ方向の反対側に、緩衝用切り欠き部１４を有する。この切り欠き部１４は、底面１２１と外側面１２３とに渡って切り欠かれている。
【００３７】
上記第１の部材１１の底面１１１および外側面１１３を覆うように、Ｌ型アングル状部材１８が設けられている。上記第２の部材１２の底面１２１および外側面１２３を覆うように、Ｌ型アングル状部材１８が設けられている。Ｌ型アングル状部材１８は、例えば紙製である。
【００３８】
上記第１の部材１１、上記第２の部材１２および上記第３の部材１３と、上記Ｌ型アングル状部材１８とは、底台１０に収容されている。第１の部材１１の内側面１１２と、第２の部材１２の内側面１２２とには、冷蔵庫２の扉２５の底部を支持する扉受け部材９が設けられている。
【００３９】
次に、上記梱包用緩衝材１の使用状態を説明する。
【００４０】
図５に示すように、上記冷蔵庫本体２０の底部２０ａを上記梱包用緩衝材１により支持する。冷蔵庫本体２０の底部２０ａは、上記左右の機械室側壁２１の底面２１０と、上記断熱箱体２２の底面２２０とを含む。
【００４１】
上記断熱箱体２２の底面２２０は、平坦面２２０ａと、この平坦面２２０ａの後方（Ｘ方向）に位置する傾斜面２２０ｂとを有する。この傾斜面２２０ｂは、後方を向くように平坦面２２０ａに対して傾斜している。この傾斜面２２０ｂは、平坦面２２０ａとの成す角度が１８０度を超えるように平坦面２２０ａに対して傾斜している。
【００４２】
上記左右の機械室側壁２１の底面２１０は、上記梱包用緩衝材１の第１の部材１１の支持面１１０および第２の部材１２の支持面１２０に支持される。
【００４３】
上記断熱箱体２２の底面２２０は、上記梱包用緩衝材１の第３の部材１３の支持面１３０に支持される。つまり、断熱箱体２２の平坦面２２０ａは、第３の部材１３の平坦面１３０ａに支持され、断熱箱体２２の傾斜面２２０ｂは、第３の部材１３の傾斜面１３０ｂに支持される。ここで、上記冷蔵庫本体２０の底部２０ａと上記梱包用緩衝材１とは、冷蔵庫底部の梱包構造体を構成する。
【００４４】
このように、上記左右の機械室側壁２１の底面２１０は、第１の部材１１および第２の部材１２に支持され、断熱箱体２２の底面２２０は、第３の部材１３の支持面１３０に支持されるので、冷蔵庫本体２０の底部２０ａを、第１、第２および第３の部材１１，１２，１３によって、支持できる。このため、冷蔵庫本体２０の底部２０ａを梱包用緩衝材１にて梱包した状態で冷蔵庫２が落下したとき、この落下の衝撃（特に梱包用緩衝材１の真下方向への衝撃：稜落下）を第１、第２および第３の部材１１，１２，１３にて分散できる。
【００４５】
また、上記断熱箱体２２の底面２２０の傾斜面２２０ｂは、第３の部材１３の支持面１３０の傾斜面１３０ｂに支持されるので、落下の衝撃による垂直方向（Ｚ方向の反対方向）の力を、第３の部材１３の傾斜面１３０ｂにより分散できる。また、第３の部材１３の傾斜面１３０ｂにより、冷蔵庫２の後方向（Ｘ方向）の位置ずれを防止できる。
【００４６】
したがって、上記梱包用緩衝材１の第１、第２および第３の部材１１，１２，１３の高さ寸法を大きくしなくても、落下の衝撃による梱包用緩衝材１の潰れ等の変形を小さくして、落下による冷蔵庫本体２０の底部２０ａの底当たりを防止できる。また、冷蔵庫本体２０の底部２０ａにおいても、落下の衝撃の反力を分散できて、冷蔵庫本体２０の底部２０ａの割れ等の変形を防止できる。特に、強度の小さな機械室側壁２１においては、有効に変形を防止できる。
【００４７】
また、上記第１の部材１１のＸ方向の端部、および、上記第２の部材１２のＸ方向の端部は、緩衝用切り欠き部１４を有するので、第１の部材１１の端部および第２の部材１２の端部は、落下の衝撃に対して、高い緩衝性能を有する。したがって、第１の部材１１の端部および第２の部材１２の端部によって支持される強度の小さな機械室側壁２１の変形を、一層確実に防止できる。
【００４８】
また、上記第１の部材１１の底面１１１および外側面１１３を覆うように、Ｌ型アングル状部材１８が設けられ、上記第２の部材１２の底面１２１および外側面１２３を覆うように、Ｌ型アングル状部材１８が設けられているので、第１の部材１１および第２の部材１２をＬ型アングル状部材１８にて補強できる。
【００４９】
また、上記第１、上記第２および上記第３の部材１１，１２，１３は、一体に成形された一体構造であるので、各部材１１，１２，１３が相互にずれることがなくて、緩衝効果が低減しない。また、各部材１１，１２，１３を相互にテープ等によって固定する必要がなく、作業性が良好となる。
【００５０】
なお、この発明は上述の実施形態に限定されない。例えば、上記第３の部材１３の支持面１３０において、傾斜面１３０ｂと平坦面１３０ａとを、Ｘ方向に沿って、順に配置してもよく、また、上記断熱箱体２２の底面２２０において、傾斜面２２０ｂと平坦面２２０ａとを、Ｘ方向に沿って、順に配置してもよい。
【００５１】
また、上記緩衝用切り欠き部１４や上記Ｌ型アングル状部材１８を省略してもよい。また、上記Ｘ方向、上記Ｙ方向および上記Ｚ方向は、互いに直交していなくてもよく、交差していればよい。
【符号の説明】
【００５２】
１  梱包用緩衝材
２  冷蔵庫
２０  冷蔵庫本体
２０ａ  底部
２１  機械室側壁
２１０  底面
２２  断熱箱体
２２０  底面
２２０ａ  平坦面
２２０ｂ  傾斜面
３  圧縮機
１０  底台
１１  第１の部材
１１０  支持面
１１１  底面
１１２  内側面
１１３  外側面
１２  第２の部材
１２０  支持面
１２１  底面
１２２  内側面
１２３  外側面
１３  第３の部材
１３０  支持面
１３０ａ  平坦面
１３０ｂ  傾斜面
１４  緩衝用切り欠き部
１８  Ｌ型アングル状部材
Ｍ  機械室
【図１】
2011255927.tif 000003
【図２】
2011255927.tif 000004
【図３】
2011255927.tif 000005
【図４】
2011255927.tif 000006
【図５】
2011255927.tif 000007
【図６】
2011255927.tif 000008